【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】  構造化医療データを生成する方法であって、
ａ．情報が利用されるデータコンテキストを確立するステップと、
ｂ．該データコンテキストに相関するデータエントリ影響材料を第１の計算デバイスに視覚的に表示するステップと、
ｃ．該データエントリ影響材料によって、少なくともある程度、該データコンテキストに調和するように形成されるバーバル医療情報をユーザが生成するステップと、
ｄ．該バーバル医療情報の少なくとも一部を該バーバル医療情報の少なくとも一部を表すデジタルバーバルデータに該第１の計算デバイス上で変換するステップと、
ｅ．該デジタルバーバルデータを該第１の計算デバイス上に少なくとも一時的に格納するステップと、
ｆ．該デジタルバーバルデータを第２の計算デバイスに転送するステップと、
ｇ．該第２の計算デバイスを使用して該デジタルバーバルデータを構造化データに転換するステップと
を包含する、方法。
【請求項２】  構造化医療データを生成する方法であって、
ａ．情報が利用されるデータコンテキストを確立するステップと、
ｂ．該データコンテキストに相関するデータエントリ影響材料を第１の計算デバイスに表示するステップと、
ｃ．該データエントリ影響材料によって、少なくともある程度、該データコンテキストに調和するように形成されるバーバル医療情報をユーザが生成するステップと、
ｄ．該バーバル医療情報の少なくとも一部を該バーバル医療情報の少なくとも一部を表すデジタルバーバルデータに該第１の計算デバイス上で変換するステップと、
ｅ．該デジタルバーバルデータを該第１の計算デバイス上に少なくとも一時的に格納するステップと、
ｆ．該デジタルバーバルデータを第２の計算デバイスに転送するステップと、
ｇ．該第２の計算デバイスを使用して該デジタルバーバルデータを構造化データに転換するステップと
を包含する、方法。
【請求項３】  前記第１の計算デバイス上で少なくともいくつかのデータ構造情報を前記バーバル医療情報の少なくとも一部に挿入して合成構造化データを作成するステップをさらに包含する、請求項１および２のいずれかに記載の構造化医療データ作成方法。
【請求項４】  前記第２の計算デバイスを使用してデジタルバーバルデータを構造化データに転換するステップは、タグ付きフォーマットの構造化データを確立するステップを包含する、請求項３に記載の構造化医療データ作成方法。
【請求項５】  前記データコンテキストを確立するステップは、ドキュメントタイプ定義構造を作成するステップを包含する、請求項４に記載の構造化医療データ作成方法。
【請求項６】  前記構造化データのデータベースを、統計分析、トレンド分析、人工知能分析およびニューラルネットワーク分析からなる群から選択されるプロセスを使用して分析するステップをさらに包含する、請求項１および２のいずれかに記載の構造化医療データ作成方法。
【請求項７】  ａ．前記構造化データを分析するステップと、
ｂ．該分析の結果として関連情報を識別するステップと、
ｃ．該関連情報をユーザに提供するステップと
をさらに包含する、請求項６に記載の構造化医療データ作成方法。
【請求項８】  防疫センター、本土保安局、法執行機関、および複数の法執行機関からなる群から選択される中央当局へ情報を提供するステップをさらに包含する、請求項６に記載の構造化医療データ作成方法。
【請求項９】  前記バーバル医療情報をユーザが生成するステップは、可能性のある生物兵器症状情報をディクテイトするステップを包含する、請求項８に記載の構造化医療データ作成方法。
【請求項１０】  前記関連情報をユーザに提供するステップは、ヘルスケア提供者警報情報、症状子識別情報、場所特定情報、およびエントリプロンプト情報からなる群から選択される情報を表示するステップを包含する、請求項７に記載の構造化医療データ作成方法。
【請求項１１】  構造化医療データを作成する方法であって、
ａ．情報が利用されるデータコンテキストを確立するステップと、
ｂ．該データコンテキストに相関するデータエントリ影響材料を視覚的に表示するステップと、
ｃ．該データエントリ影響材料によって、少なくともある程度、該データコンテキストに調和するように形成されるバーバル医療情報をユーザが生成するステップと、
ｄ．該バーバル医療情報の少なくとも一部を該バーバル医療情報の少なくとも一部を表すデジタルバーバルデータに変換するステップと、
ｅ．該デジタルバーバルデータを少なくとも一時的に格納するステップと、
ｆ．該デジタルバーバルデータを該データコンテキスト内の構造化データに転送するステップと
を包含する、方法。
【請求項１２】  構造化医療データを作成する方法であって、
ａ．情報が利用されるデータコンテキストを確立するステップと、
ｂ．該データコンテキストに相関するデータエントリ影響材料を表示するステップと、
ｃ．該データエントリ影響材料によって、少なくともある程度、該データコンテキストに調和するように形成されるバーバル医療情報をユーザが生成するステップと、
ｄ．該バーバル医療情報の少なくとも一部を該バーバル医療情報の少なくとも一部を表すデジタルバーバルデータに変換するステップと、
ｅ．該デジタルバーバルデータを少なくとも一時的に格納するステップと、
ｆ．該デジタルバーバルデータを該データコンテキスト内の構造化データに転送するステップと
を包含する、方法。
【請求項１３】  前記データコンテキストに相関するデータエントリ影響材料を表示するステップは、データエントリ影響材料を計算デバイス上に視覚的に表示するステップを包含し、かつここで前記バーバル情報の少なくとも一部を該バーバル情報の少なくとも一部を表すデジタルバーバルデータに変換するステップは、該バーバル情報の少なくとも一部を該同じ計算デバイス上でデジタルバーバルデータに変換するステップを包含する、請求項１１および１２のいずれかに記載の構造化データ作成方法。
【請求項１４】  前記データエントリ影響材料を計算デバイス上に視覚的に表示するステップ、および同じ計算デバイス上で前記バーバル情報の少なくとも一部をデジタルバーバルデータに変換するステップはそれぞれ、携帯用計算デバイスを利用するステップを包含する、請求項１３に記載の構造化医療データ作成方法。
【請求項１５】  前記デジタルバーバルデータを前記携帯用計算デバイスから第２の計算デバイスに転送するステップをさらに包含する、請求項１４に記載の構造化医療データ作成方法。
【請求項１６】  前記デジタルバーバルデータを前記データコンテキスト内で構造化データに転換するステップは、前記第２の計算デバイスを利用するステップを包含する、請求項１５に記載の構造化医療データ作成方法。
【請求項１７】  前記デジタルバーバルデータを携帯用計算デバイスから第２の計算デバイスに転送するステップは、無線転送方式、インターネット転送方式、携帯電話システム転送方式からなる群から選択される方式で前記デジタルバーバルデータを転送するステップを包含する、請求項１５に記載の構造化医療データ作成方法。
【請求項１８】  構造化情報を作成する方法であって、
ａ．情報が利用されるデータコンテキストを確立するステップと、
ｂ．バーバル情報をユーザが生成するステップと、
ｃ．該バーバル情報の少なくとも一部を計算デバイス上でキャプチャするステップと、
ｄ．該バーバル情報を利用してタグ付きフォーマットで構造化データを確立するステップと
を包含する、方法。
【請求項１９】  前記バーバル情報を利用してタグ付きフォーマットで構造化データを確立するステップは、
ａ．該バーバル情報の少なくとも一部を該バーバル情報の少なくとも一部を表すデジタルバーバルデータに変換するステップと、
ｂ．該デジタルバーバルデータを少なくとも一時的に格納するステップと、
ｃ．該デジタルバーバルデータを前記データコンテキスト内で構造化データに転換するステップと
を包含する、請求項１８に記載の構造化医療データ作成方法。
【請求項２０】  前記デジタルバーバルデータをデータコンテキスト内で構造化データに転換するステップは、該デジタルデータの少なくとも一部を該構造化データ内に含めるステップを包含する、請求項１９に記載の構造化医療データ作成方法。
【請求項２１】  前記バーバル情報の少なくとも一部を該バーバル情報の少なくとも一部を表すデジタルバーバルデータに変換するステップは、該バーバル情報の少なくとも一部を第１の場所でデジタルバーバルデータに転換するステップを包含し、かつここで、前記デジタルバーバルデータをデータコンテキスト内で構造化データに変換するステップは、第２の場所で該デジタルバーバルデータにトランスクリプショニスト（ｔｒａｎｓｃｒｉｐｔｉｏｎｉｓｔ）がタグ付けするステップを包含する、請求項１９に記載の構造化医療データ作成方法。
【請求項２２】  情報を前記ユーザに視覚的に表示するステップをさらに包含する、請求項１８に記載の構造化医療データ作成方法。
【請求項２３】  情報を前記ユーザに表示するステップをさらに包含する、請求項１８に記載の構造化医療データ作成方法。
【請求項２４】  前記情報を前記ユーザに視覚的に表示するステップは、前記データコンテキストに相関するデータエントリ影響材料を該ユーザに対して第１の計算デバイス上で視覚的に表示するステップを包含し、かつここで、前記デジタルバーバルデータを該データコンテキスト内で構造化データに転換するステップは、第２の計算デバイスで該デジタルバーバルデータを変換するステップを包含する、請求項２２に記載の構造化医療データ作成方法。
【請求項２５】  前記情報を前記ユーザに表示するステップは、前記データコンテキストに相関するデータエントリ影響材料を該ユーザに対して第１の計算デバイス上で表示するステップを包含し、かつここで、前記デジタルバーバルデータを該データコンテキスト内で構造化データに転換するステップは、第２の計算デバイスで該デジタルバーバルデータを変換するステップを包含する、請求項２３に記載の構造化医療データ作成方法。
【請求項２６】  前記データコンテキストに相関するデータエントリ影響材料を前記ユーザに対して第１の計算デバイス上で視覚的に表示するステップをさらに包含し、かつここで、前記デジタルバーバルデータを該データコンテキスト内で構造化データに転換するステップは、第２の計算デバイスで該デジタルバーバルデータを転換するステップを包含する、請求項１９に記載の構造化医療データ作成方法。
【請求項２７】  前記データコンテキストに相関するデータエントリ影響材料を前記ユーザに対して第１の計算デバイス上で表示するステップをさらに包含し、かつここで、前記デジタルバーバルデータを該データコンテキスト内で構造化データに転換するステップは、第２の計算デバイスで該デジタルバーバルデータを転換するステップを包含する、請求項１９に記載の構造化医療データ作成方法。
【請求項２８】  前記データコンテキストに相関するデータエントリ影響材料を前記ユーザに対して第１の計算デバイス上で視覚的に表示するステップは、携帯用計算デバイスを利用するステップを包含する、請求項２６に記載の構造化医療データ作成方法。
【請求項２９】  前記データコンテキストに相関するデータエントリ影響材料を前記ユーザに対して第１の計算デバイス上で表示するステップは、携帯用計算デバイスを利用するステップを包含する、請求項２７に記載の構造化医療データ作成方法。
【請求項３０】  前記デジタルバーバルデータを携帯用計算デバイスから第２の計算デバイスに転送するステップをさらに包含する、請求項２８および２９のいずれかに記載の構造化医療データ作成方法。
【請求項３１】  構造化情報を作成する方法であって、
ａ．ハンドヘルドデータエントリデバイス上で、データエントリ影響材料を視覚的に表示するステップと、
ｂ．該データエントリ影響材料によって、少なくともある程度、形成されるバーバル情報をユーザが生成するステップと、
ｃ．該ハンドヘルドデータエントリデバイス上で、該バーバル情報の少なくとも一部をキャプチャするステップと、
ｄ．該ハンドヘルドデータエントリデバイス上で、少なくともいくつかのデータ構造情報を前記キャプチャされたバーバル情報の少なくとも一部に挿入して合成構造化データを作成するステップと、
ｅ．該ハンドヘルドデータエントリデバイス上で、該合成構造化データを少なくとも一時的に格納するステップと
を包含する、方法。
【請求項３２】  構造化情報を作成する方法であって、
ａ．ハンドヘルドデータエントリデバイス上で、データエントリ影響材料を表示するステップと、
ｂ．該データエントリ影響材料によって、少なくともある程度、形成されるバーバル情報をユーザが生成するステップと、
ｃ．該ハンドヘルドデータエントリデバイス上で、該バーバル情報の少なくとも一部をキャプチャするステップと、
ｄ．該ハンドヘルドデータエントリデバイス上で、少なくともいくつかのデータ構造情報を前記キャプチャされたバーバル情報の少なくとも一部に挿入して合成構造化データを作成するステップと、
ｅ．該ハンドヘルドデータエントリデバイス上で、該合成構造化データを少なくとも一時的に格納するステップと
を包含する、方法。
【請求項３３】  前記少なくともいくつかのデータ構造情報をキャプチャされたバーバル情報の少なくとも一部にハンドヘルドデータエントリデバイス上で挿入して合成構造化データを作成するステップは、部分データ構造情報を挿入して合成構造化データを作成するステップを包含する、請求項３１および３２のいずれかに記載の構造化データ作成方法。
【請求項３４】  前記合成構造化データを前記ハンドヘルドデータエントリデバイスから全機能搭載計算デバイスに転送するステップをさらに包含する、請求項３３に記載の構造化データ作成方法。
【請求項３５】  前記バーバル情報の少なくとも一部を前記ハンドヘルドデータエントリデバイス上でキャプチャするステップは、ウェーブファイルを該ハンドヘルドデータエントリデバイス上で生成するステップを包含する、請求項３１および３２のいずれかに記載の構造化データ作成方法。
【請求項３６】  前記デジタルバーバルデータを前記全機能搭載計算デバイスにおいてデータコンテキスト内で構造化データに転換するステップをさらに包含する、請求項３４に記載の構造化データ作成方法。
【請求項３７】  前記合成構造化データをハンドヘルドデータエントリデバイスから転送するステップは、該合成構造化データを、無線転送方式、インターネット転送方式、携帯電話システム転送方式からなる群から選択される方式で転送するステップを包含する、請求項３４に記載の構造化データ作成方法。
【請求項３８】  ａ．格納データコンテキスト要素と、
ｂ．該格納データコンテキスト要素に応答する視覚的ディスプレイと、
ｃ．バーバル情報のエントリを受け入れるバーバル情報エントリ要素と、
ｄ．該バーバル情報エントリ要素に応答するファイル生成要素と、
ｅ．該ファイル生成要素に応答するバーバル情報メモリ要素と、
ｆ．該バーバル情報に基づいて該データコンテキスト内で構造データを作成するように構成された該バーバル情報メモリに応答するデータコンテキスト構成構造化確立要素と、
ｇ．該構造化データ確立要素に応答する構造化データメモリと
を包含する、構造化情報作成システム。
【請求項３９】  ａ．格納データコンテキスト要素と、
ｂ．該格納データコンテキスト要素に応答するディスプレイと、
ｃ．バーバル情報のエントリを受け入れるバーバル情報エントリ要素と、
ｄ．該バーバル情報エントリ要素に応答するファイル生成要素と、
ｅ．該ファイル生成要素に応答するバーバル情報メモリ要素と、
ｆ．該バーバル情報に基づいて該データコンテキスト内で構造データを作成するように構成された該バーバル情報メモリに応答するデータコンテキスト構成構造化確立要素と、
ｇ．該構造化データ確立要素に応答する構造化データメモリと
を包含する、構造化情報作成システム。
【請求項４０】  前記視覚ディスプレイは計算デバイスによって制御され、かつここで、前記ファイル生成要素は該同じ計算デバイスによって制御される、請求項３８および３９のいずれかに記載の構造化情報作成システム。
【請求項４１】  前記計算デバイスはハンドヘルドデータエントリデバイスを含む、請求項４０に記載の構造化情報作成システム。
【請求項４２】  第２の計算デバイスが応答するデータ転送要素をさらに含む、請求項４１に記載の構造化情報作成システム。
【請求項４３】  前記データ転送要素は、無線転送要素、インターネット転送要素、携帯電話システム転送要素からなる群から選択されるデータ転送要素を含む、請求項４２に記載の構造化情報作成システム。
【請求項４４】  ａ．格納されたデータコンテキスト要素と、
ｂ．バーバル情報のエントリを受け入れるバーバル情報エントリ要素と、
ｃ．該バーバル情報エントリ要素に応答するバーバル情報メモリと、
ｄ．該バーバル情報メモリに応答し、該バーバル情報に基づいて該データコンテキスト内で構造化データを作成するように構成されたデータコンテキスト構成タグ付き構造化データ確立要素と、
ｅ．該構造化データ確立要素に応答する構造化データメモリと、
を備えた構造化情報作成システム。
【請求項４５】  前記バーバル情報エントリ要素に応答するファイル生成要素をさらに備えた、請求項４４に記載の構造化情報作成システム。
【請求項４６】  前記データコンテキスト構成タグ付き構造化データ確立要素が、変更されていないバーバル情報格納要素を備えた、請求項４５に記載の構造化情報作成システム。
【請求項４７】  前記ファイル生成要素が、少なくとも部分的に、第１の計算デバイスによって制御され、前記データコンテキスト構成タグ付き構造化データ確立要素が、少なくとも部分的に第２の計算デバイスによって制御されるトランスクリプショニスト入力を備えた、請求項４４に記載の構造化情報作成システム。
【請求項４８】  前記格納されたデータコンテキスト要素に応答する視覚的ディスプレイをさらに備えた、請求項４４に記載の構造化情報作成システム。
【請求項４９】  前記格納されたデータコンテキスト要素に応答するディスプレイをさらに備えた、請求項４４に記載の構造化情報作成システム。
【請求項５０】  前記格納されたデータコンテキスト要素に応答する前記ディスプレイが、第１の計算デバイスにおいてデータエントリ影響材料表示を備え、前記データコンテキスト構成表示された構造化データ確立要素が、第２の計算デバイスにおいて構造化データ確立要素を備えた、請求項４８および４９のいずれかに記載の構造化情報作成システム。
【請求項５１】  ａ．第１の計算デバイスによって制御されるデータエントリ影響材料表示と、
ｂ．前記バーバル情報エントリ要素に応答し該第１の計算デバイスによって制御されるファイル生成要素と、
をさらに備え、
前記データコンテキスト構成タグ付き構造化データ確立要素が、第２の計算デバイスによって制御される構造化データ確立要素を備えた、請求項４５に記載の構造化情報作成システム。
【請求項５２】  前記第１の計算デバイスが、ハンドヘルドデータエントリデバイスを備えた、請求項５１に記載の構造化情報作成システム。
【請求項５３】  第２の計算デバイスが応答するデータトランスファ要素をさらに備えた、請求項５２に記載の構造化情報作成システム。
【請求項５４】  ａ．ハンドヘルドデータエントリデバイスによって制御される格納されたデータコンテキスト要素と、
ｂ．該格納されたデータコンテキスト要素に応答し該ハンドヘルドデータエントリデバイスによって制御される視覚的ディスプレイと、
ｃ．バーバル情報エントリ要素と、
ｄ．該バーバル情報エントリ要素に応答するバーバル情報捕獲要素と、
ｅ．該ハンドヘルドデータエントリデバイスによって制御される構造化データ情報挿入要素と、
ｆ．該バーバル情報捕獲要素と該構造化データ情報挿入要素との両方に応答し、該ハンドヘルドデータエントリデバイスによって制御されるハンドヘルド合成データメモリと、
を備えた構造化情報作成システム。
【請求項５５】  ａ．ハンドヘルドデータエントリデバイスによって制御される格納されたデータコンテキスト要素と、
ｂ．該格納されたデータコンテキスト要素に応答し該ハンドヘルドデータエントリデバイスによって制御されるディスプレイと、
ｃ．バーバル情報エントリ要素と、
ｄ．該バーバル情報エントリ要素に応答するバーバル情報捕獲要素と、
ｅ．該ハンドヘルドデータエントリデバイスによって制御される構造化データ情報挿入要素と、
ｆ．該バーバル情報捕獲要素と該構造化データ情報挿入要素との両方に応答し、該ハンドヘルドデータエントリデバイスによって制御されるハンドヘルド合成データメモリと、
を備えた構造化情報作成システム。
【請求項５６】  前記ハンドヘルドデータエントリデバイスによって制御される前記構造化データ情報挿入要素が、部分構造化データ情報挿入要素を備えた、請求項５４または５５に記載の構造化情報作成システム。
【請求項５７】  全機能搭載計算デバイスが応答するデータトランスファ要素をさらに備えた、請求項５６に記載の構造化情報作成システム。
【請求項５８】  前記バーバル情報エントリ要素に応答する前記バーバル情報捕獲要素が、ウェーブファイル生成器を備えた、請求項５４または５５に記載の構造化情報作成システム。
【請求項５９】  前記全機能搭載計算デバイスにおいてデータコンテキスト構成構造化データ確立要素をさらに備えた、請求項５７に記載の構造化情報作成システム。
【請求項６０】  前記データトランスファ要素が、ワイヤレストランスファ要素、インターネットトランスファ要素および携帯電話システムトランスファ要素からなる群より選択されるデータトランスファ要素を備えた、請求項５７に記載の構造化情報作成システム。
【請求項６１】  前記バーバル情報の少なくとも一部を、該バーバル情報の少なくとも一部を表すデジタルバーバルデータに変換する前記ステップが、ウェーブファイルを生成するステップを含む、請求項１３および１９のいずれかに記載の構造化データを作成する方法。
【請求項６２】  前記デジタルバーバルデータを前記データコンテキストで構造化データにトランスフォームする前記ステップが、該データコンテキスト内で該バーバルデータを順序立てるステップを含む、請求項１１、１２および１９のいずれかに記載の構造化データを作成する方法。
【請求項６３】  前記デジタルバーバルデータを前記データコンテキスト内で構造化データにトランスフォームする前記ステップが、該データコンテキスト内でタグ付き構造化データを確立するステップを含む、請求項１１および１２のいずれかに記載の構造化データを作成する方法。
【請求項６４】  構造化データをタグ付きフォーマットで確立するステップをさらに含む、請求項１１および１２のいずれかに記載の構造化データを作成する方法。
【請求項６５】  構造化データをタグ付きフォーマットで確立する前記ステップが、フィールドフォーマット、オーダードフォーマット、サブテキストフォーマット、メタ言語フォーマットおよび埋め込みコードフォーマットからなる群より選択されるフォーマットで、構造化データを確立するステップを含む、請求項１９および６４のいずれかに記載の構造化データを作成する方法。
【請求項６６】  前記データ作成プロセスの一部としてバイナリユーザ入力を受け入れるステップをさらに含む、請求項１１、１２、１８、３１、３２および６４のいずれかに記載の構造化データを作成する方法。
【請求項６７】  データエントリ影響材料を表示する前記ステップが、チェックリスト材料を表示するステップを含む、請求項１１、１２、２２、２３、３１および３２のいずれかに記載の構造化データを作成する方法。
【請求項６８】  デジタルバーバルデータをデータコンテキスト内で構造化データにトランスフォームする前記ステップが、複数の構造化データフォーマットを作成するステップを含む、請求項１１、１２、１９および３６のいずれかに記載の構造化データを作成する方法。
【請求項６９】  デジタルバーバルデータをデータコンテキスト内で構造化データにトランスフォームする前記ステップが、バーバル情報をトランスクライブするステップを含む、請求項１１、１２、１９および３６のいずれかに記載の構造化データを作成する方法。
【請求項７０】  バーバル情報をトランスクライブする前記ステップが、トランスクリプショニスト入力を許可するステップを含む、請求項６９に記載の構造化データを作成する方法。
【請求項７１】  バーバル情報をトランスクライブする前記ステップが、タグ付きフォーマットで構造化データを確立するステップを含む、請求項６９に記載の構造化データを作成する方法。
【請求項７２】  タグ付きフォーマットで構造化データを確立する前記ステップが、Ｅｘｔｅｎｓｉｂｌｅ  Ｍａｒｋｕｐ  Ｌａｎｇｕａｇｅフォーマットで構造化データを確立するステップを含む、請求項７１に記載の構造化データを作成する方法。
【請求項７３】  タグ付きフォーマットで構造化データを確立する前記ステップが、データフィールド全体をシークエンスするステップを含む、請求項７１に記載の構造化データを作成する方法。
【請求項７４】  データコンテキストを確立する前記ステップが、データ入力必要コンテキスト、データ情報必要コンテキスト、ユーザリマインダコンテキスト、情報流通コンテキスト、統計入力必要コンテキストおよびニアリアルタイム統計生成必要コンテキストからなる群より選択されるコンテキストを確立するステップを含む、請求項１１、１２および１８のいずれかに記載の構造化データを作成する方法。
【請求項７５】  データコンテキストを確立する前記ステップが、ドキュメントタイプ定義構造を作成するステップを含む、請求項１１、１２および１８のいずれかに記載の構造化データを作成する方法。
【請求項７６】  データコンテキストを確立する前記ステップが、ドキュメントタイプ定義構造を作成するステップを含み、情報を視覚的に表示する前記ステップが、該ドキュメントタイプ定義構造に合うデータの生成を促すステップを含む、請求項１１、１２、２２および２３のいずれかに記載の構造化データを作成する方法。
【請求項７７】  情報を表示する前記ステップが、フィールドセグメントされた情報を表示するステップを含む、請求項１１、１２、２２、２３、３１および３２のいずれかに記載の構造化データを作成する方法。
【請求項７８】  フィールドセグメントされた情報を表示する前記ステップが、前記フィールドセグメントされた情報全体をシークエンスするステップを含む、請求項７７に記載の構造化データを作成する方法。
【請求項７９】  前記データを統計的に分析するステップをさらに含む、請求項１１、１２、１８および３６のいずれかに記載の構造化データを作成する方法。
【請求項８０】  ａ．複数の格納された構造化データをデータベースに集めるステップと、
ｂ．該データベースを集計情報用に分析するステップと、
をさらに含む、請求項１１、１２、１８および３６のいずれかに記載の構造化データを作成する方法。
【請求項８１】  前記データベースを集計情報用に分析する前記ステップが、該データベースを、統計的分析、トレンド分析、人工知能分析およびニューラルネットワーク分析からなる群より選択されるプロセスを用いて分析するステップを含む、請求項８０に記載の構造化データを作成する方法。
【請求項８２】  ａ．前記構造化データを分析するステップと、
ｂ．該分析の結果、関連情報を特定するステップと、
ｃ．該関連情報をユーザに提供するステップと、
をさらに含む、請求項１１、１２、１８および３６のいずれかに記載の構造化データを作成する方法。
【請求項８３】  前記関連情報をユーザに提供する前記ステップが、遡及情報を提供するステップ、該ユーザに情報をアップロードするステップ、該ユーザに特定の懸念を通知するステップ、該ユーザに追加の情報が必要か否かを尋ねるステップおよび該ユーザに入手可能な情報を通知するステップからなる群より選択されるステップを含む、請求項８２に記載の構造化データを作成する方法。
【請求項８４】  前記データを統計的に分析する前記ステップが、イベントをロケーションにより関連づけるステップを含む、請求項７９に記載の構造化データを作成する方法。
【請求項８５】  前記イベントをロケーションにより関連づける前記ステップが、バトルフィールドイベントを関連づけるステップを含む、請求項８４に記載の構造化データを作成する方法。
【請求項８６】  前記イベントをロケーションにより関連づける前記ステップが、町、郡、郵便番号、複数の郵便番号、行政地区および予め確立された統計的領域からなる群より選択されるロケーション内でイベントを関連づけるステップを含む、請求項８４に記載の構造化データを作成する方法。
【請求項８７】  中央オーソリティに情報を提供するステップをさらに含む、請求項１１、１２、１８、３１および３２のいずれかに記載の構造化データを作成する方法。
【請求項８８】  中央オーソリティに情報を提供する前記ステップが、疾病制御センター、ホームランドセキュリティオフィス、法執行局および複数の法執行局からなる群より選択されるオーソリティーに自動的に情報を提供するステップを含む、請求項８７に記載の構造化データを作成する方法。
【請求項８９】  関連情報を前記ユーザに表示するステップをさらに含む、請求項１１、１２、１８、３１および３２のいずれかに記載の構造化データを作成する方法。
【請求項９０】  関連情報を前記ユーザに表示する前記ステップが、ヘルスケアプロバイダ通知情報、兆候特定情報、ロケーション特異的情報およびエントリ促進情報からなる群より選択される情報を表示するステップを含む、請求項８９に記載の構造化データを作成する方法。
【請求項９１】  前記ユーザに情報をアップロードするステップをさらに含む、請求項１１、１２、２２、２３、３１および３２のいずれかに記載の構造化データを作成する方法。
【請求項９２】  ａ．前記構造化データを解析するステップと、
ｂ．該解析の結果として、関連情報を識別するステップと
をさらに含み、前記情報をユーザにアップロードするステップは、該関連情報をユーザに提供するステップを含む、請求項９１に記載の構造化データ作成方法。
【請求項９３】  前記情報をユーザにアップロードするステップは、前記ユーザがバーバル情報を生成するステップより前に、情報をアップデートするステップを含む、請求項９１に記載の構造化データ作成方法。
【請求項９４】  前記ユーザがバーバル情報を生成するステップより前の前記情報をアップデートするステップは、前の情報のダウンロードのときに、情報をアップデートするステップを含む、請求項９３に記載の構造化データ作成方法。
【請求項９５】  前記関連情報をユーザに提供するステップは、重要な健康管理上の問題について警告するステップを含む、請求項９２に記載の構造化データ作成方法。
【請求項９６】  前記ユーザがバーバル情報を生成するステップは、医学的診断情報を生成するステップを含む、請求項１１、１２、１８、３１および３２のいずれかに記載の構造化データ作成方法。
【請求項９７】  前記医学的診断情報を生成するステップは、患者診断情報をディクテイトするステップを含む、請求項９６に記載の構造化データ作成方法。
【請求項９８】  前記医学的診断情報を生成するステップは、保険保障情報をディクテイトするステップを含む、請求項９６に記載の構造化データ作成方法。
【請求項９９】  前記医学的診断情報を生成するステップは、起こり得る珍しい医学的事象の情報をディクテイトするステップを含む、請求項９６に記載の構造化データ作成方法。
【請求項１００】  前記医学的診断情報を生成するステップは、起こり得る生化学兵器による症状の情報をディクテイトするステップを含む、請求項９６に記載の構造化データ作成方法。
【請求項１０１】  前記医学的診断情報を生成するステップは、メディケアおよびメディケードサービスセンター保障情報をディクテイトするステップを含む、請求項９６に記載の構造化データ作成方法。
【請求項１０２】  前記メディケアおよびメディケードサービスセンター保障情報を安全に伝送するステップをさらに含む、請求項１０１に記載の構造化データ作成方法。
【請求項１０３】  ａ．個人識別情報を除去して個人匿名情報を作成するステップと、
ｂ．該個人匿名情報を提供するステップと
をさらに含む、請求項９６に記載の構造化データ作成方法。
【請求項１０４】  前記ユーザがバーバル情報を生成するステップは、法の執行に関する情報を生成するステップを含む、請求項１１、１２、１８、３１および３２のいずれかに記載の構造化データ作成方法。
【請求項１０５】  前記法の執行に関する情報を生成するステップは、犯行現場情報をディクテイトするステップを含む、請求項１０４に記載の構造化データ作成方法。
【請求項１０６】  前記法の執行に関する情報を生成するステップは、起こり得るテロリスト事件情報をディクテイトするステップを含む、請求項１０４に記載の構造化データ作成方法。
【請求項１０７】  前記法の執行に関する情報を生成するステップは、起こり得る生化学兵器事件情報をディクテイトするステップを含む、請求項１０４に記載の構造化データ作成方法。
【請求項１０８】  前記法の執行に関する情報を生成するステップは、事故事件情報をディクテイトするステップを含む、請求項１０４に記載の構造化データ作成方法。
【請求項１０９】  前記ユーザがバーバル情報を生成するステップは、ビジネス情報を生成するステップを含む、請求項１１、１２、１８、３１および３２のいずれかに記載の構造化データ作成方法。
【請求項１１０】  前記ビジネス情報を生成するステップは、ビジネス課金情報をディクテイトするステップを含む、請求項１０９に記載の構造化データ作成方法。
【請求項１１１】  前記ビジネス情報を生成するステップは、提供されるサービス情報をディクテイトするステップを含む、請求項１０９に記載の構造化データ作成方法。
【請求項１１２】  前記ファイル生成要素は、ウェーブファイル生成器を含む、請求項４０および４５のいずれかに記載の構成情報作成システム。
【請求項１１３】  前記データコンテキスト構成構造化データ確立要素は、エントリ順序要素を含む、請求項３８、３９、４５および５９のいずれかに記載の構造化情報作成システム。
【請求項１１４】  前記データコンテキスト構成構造化データ確立要素は、データコンテキスト構成タグ付き構造化データ確立要素を含む、請求項３８、３９および５９のいずれかに記載の構造化情報作成システム。
【請求項１１５】  データコンテキスト構成タグ付き構造化データ確立要素をさらに含む、請求項３８および３９のいずれかに記載の構造化情報作成システム。
【請求項１１６】  前記データコンテキスト構成タグ付き構造化データ確立要素は、フィールドフォーマット、順序付きフォーマット、サブコンテキストフォーマット、メタ言語フォーマット、埋込みコードフォーマットからなる群から選択されるフォーマットを確立する、請求項４５および１１５のいずれかに記載の構造化情報作成システム。
【請求項１１７】  バイナリユーザ入力要素をさらに含む、請求項３８、３９、５４、５５および１１５のいずれかに記載の構造化情報作成システム。
【請求項１１８】  前記視覚的ディスプレイは、チェックリストディスプレイを含む、請求項３８、３９、４８、４９、５４および５５のいずれかに記載の構造化情報作成システム。
【請求項１１９】  前記データコンテキスト構成構造化データ確立要素は、複数のデータ構造化確立要素を含む、請求項３８、３９、４５および５９のいずれかに記載の構造化情報作成システム。
【請求項１２０】  前記データコンテキスト構成構造化データ確立要素は、挿入されるコードトランスクリプションシステムを含む、請求項３８、３９、４５および５９のいずれかに記載の構造化情報作成システム。
【請求項１２１】  前記挿入されるコードトランスクリプションシステムは、トランスクリプショニスト入力要素を含む、請求項１２０に記載の構造化情報作成システム。
【請求項１２２】  前記挿入されるコードトランスクリプションシステムは、タグ付きデータ入力をさらに含む、請求項１２１に記載の構造化情報作成システム。
【請求項１２３】  前記挿入されるコードトランスクリプションシステムは、拡張可能マークアップ言語生成器をさらに含む、請求項１２２に記載の構造化情報作成システム。
【請求項１２４】  前記タグ付きされたデータ入力は、シーケンスされるフィールド要素を含む、請求項１２２に記載の構造化情報作成システム。
【請求項１２５】  前記格納されるデータコンテキスト要素は、データ入力要求コンテキスト、データ情報要求コンテキスト、ユーザリマインダコンテキスト、情報の流布コンテキスト、統計的入力要求コンテキスト、およびほぼリアルタイムの統計生成要求コンテキストからなる群から選択されるコンテキストに関連する要素を含む、請求項３８、３９および４４のいずれかに記載の構造化情報作成システム。
【請求項１２６】  前記格納されるデータコンテキスト要素は、ドキュメントタイプ定義構造要素を含む、請求項３８、３９および４４のいずれかに記載の構造化情報作成システム。
【請求項１２７】  前記格納されるデータコンテキスト要素は、ドキュメントタイプ定義構造要素を含み、前記表示要素は、ドキュメントタイプ定義構造プロンプトを含む、請求項３８、３９、４８および４９のいずれかに記載の構造化情報作成システム。
【請求項１２８】  前記視覚的ディスプレイは、フィールドセグメント化されたディスプレイを含む、請求項３８、３９、４８、４９、５４および５５のいずれかに記載の構造化情報作成システム。
【請求項１２９】  統計的解析要素をさらに含む、請求項３８、３９、４４および５９のいずれかに記載の構造化情報作成システム。
【請求項１３０】  集計される複数の格納される構造化データ解析要素をさらに含む、請求項３８、３９、４４および５９のいずれかに記載の構造化情報作成システム。
【請求項１３１】  前記集計される複数の格納される構造化データ解析要素は、統計解析要素、傾向解析要素、人工知能解析要素、ニューラルネットワーク解析要素からなる群から選択される要素を含む、請求項１３０に記載の構造化情報作成システム。
【請求項１３２】  ａ．データ解析要素と、
ｂ．該データ解析要素に応答する、関連情報識別要素と、
ｃ．該関連情報識別要素に応答する、関連情報ディスプレイと
をさらに含む、請求項３８、３９、４４および５９のいずれかに記載の構造化情報作成システム。
【請求項１３３】  前記関連情報識別要素は、遡及的情報要素、情報アップロード要素、情報警告要素、情報クエリ要素、および情報利用可能性要素からなる群から選択される要素を含む、請求項１３２に記載の構造化情報作成システム。
【請求項１３４】  前記統計解析要素は、ロケーショナルイベント相関要素を含む、請求項１２９に記載の構造化情報作成システム。
【請求項１３５】  前記ロケーショナルイベント相関要素は、戦場相関要素を含む、請求項１３４に記載の構造化情報作成システム。
【請求項１３６】  前記ロケーショナルイベント相関要素は、街全体における出来事の相関要素、群全体における出来事相関要素、郵便局チェーンにわたる出来事の相関要素、複数の郵便局チェーンにわたる出来事の相関要素、政府による区画にわたる出来事の相関要素、および確立前の統計地域にわたる出来事の相関要素からなる群から選択される要素を含む、請求項１３４に記載の構造化情報作成システム。
【請求項１３７】  中央当局ダウンロード要素をさらに含む、請求項３８、３９、４４、５４および５５のいずれかに記載の構造化情報作成システム。
【請求項１３８】  前記中央当局ダウンロード要素は、疾病予防センターダウンロード要素、国土安全保障省ダウンロード要素、法執行当局ダウンロード要素、および複数の法執行当局ダウンロード要素からなる群から選択される、ダウンロード要素を含む、請求項１３７に記載の構造化情報作成システム。
【請求項１３９】  関連情報ディスプレイをさらに含む、請求項３８、３９、４４、５４および５５のいずれかに記載の構造化情報作成システム。
【請求項１４０】  前記関連情報ディスプレイは、健康管理プロバイダ警告情報ディスプレイ、症状識別情報ディスプレイ、位置特有情報ディスプレイ、およびエントリプロンプト情報ディスプレイからなる群から選択される、関連情報ディスプレイを含む、請求項１３９に記載の構造化情報作成システム。
【請求項１４１】  情報アップロード要素をさらに含む、請求項３８、３９、４８、４９、５４および５５のいずれかに記載の構造化情報作成システム。
【請求項１４２】  データ解析要素をさらに含み、前記情報アップロード要素は、該データ解析要素に応答する、請求項１４１に記載の構造化情報作成システム。
【請求項１４３】  前記情報アップロード要素は、利用前の情報アップロード要素を含む、請求項１４１に記載の構造化情報作成システム。
【請求項１４４】  前記利用前の情報アップロード要素は、ダウンロードリンクされた情報アップロード要素を含む、請求項１４３に記載の構造化情報作成システム。
【請求項１４５】  ユーザ警告要素をさらに含む、請求項１４２に記載の構造化情報作成システム。
【請求項１４６】  前記格納されるデータコンテキスト要素は、医学的診断情報要素を含む、請求項３８、３９、４４、５４および５５のいずれかに記載の構造化情報作成システム。
【請求項１４７】  前記医学的診断情報要素は、患者診断情報要素を含む、請求項１４６に記載の構造化情報作成システム。
【請求項１４８】  前記医学的診断情報要素は、医学的保険情報を含む、請求項１４６に記載の構造化情報作成システム。
【請求項１４９】  前記医学的診断情報要素は、珍しい医学的事象情報要素を含む、請求項１４６に記載の構造化情報作成システム。
【請求項１５０】  前記医学的診断情報要素は、生化学兵器診断情報要素を含む、請求項１４６に記載の構造化情報作成システム。
【請求項１５１】  前記メディケアおよびメディケードサービスセンター保障情報伝達要素をさらに含む、請求項１４６に記載の構造化情報作成システム。
【請求項１５２】  個人の識別情報除去装置をさらに含む、請求項１４６に記載の構造化情報作成システム。
【請求項１５３】  前記格納されるデータコンテキスト要素は、法の執行情報要素を含む、請求項３８、３９、４４、５４および５５のいずれかに記載の構造情報作成システム。
【請求項１５４】  前記法の執行情報要素は、犯行現場情報要素を含む、請求項１５３に記載の構造化情報作成システム。
【請求項１５５】  前記法の執行情報要素は、起こり得るテロリスト事件情報要素を含む、請求項１５３に記載の構造化情報作成システム。
【請求項１５６】  前記法の執行情報要素は、起こり得る生化学兵器事件情報要素を含む、請求項１５３に記載の構造情報作成システム。
【請求項１５７】  前記法の執行情報要素は、事故調査情報要素を含む、請求項１５３に記載の構造情報作成システム。
【請求項１５８】  前記格納されるデータコンテキスト要素は、ビジネス情報要素を含む、請求項３８、３９、４４、５４および５５のいずれかに記載の構造化情報作成システム。
【請求項１５９】  前記ビジネス情報要素は、課金情報要素を含む、請求項１５８に記載の構造化情報作成システム。
【請求項１６０】  前記ビジネス情報要素は、提供されるサービスの情報要素を含む、請求項１５８に記載の構造化情報作成システム。